(57)【要約】 【課題】必要に応じて採光性能と眺望性を可変調整でき、かつプライバシ性も担保する。【解決手段】採光具１は、光の入射方向に沿って重ねて配置され、入射方向に交差する一方向に相対的に移動自在な第１採光部材２および第２採光部材３を備え、第１採光部材および第２採光部材の少なくとも一方は、光入射面に入射された光を偏向させる光偏向部を有する採光シート５と、採光シートの光入射面とは反対側の光出射面上の少なくとも一部に配置され可視光透過孔を有する多孔シート６と、を有する。【選択図】図１
2016069989.tif 000002
【特許請求の範囲】
【請求項１】
光の入射方向に沿って重ねて配置され、前記入射方向に交差する一方向に相対的に移動自在な第１採光部材および第２採光部材を備え、
前記第１採光部材および前記第２採光部材の少なくとも一方は、
光入射面に入射された光を偏向させる光偏向部を有する採光シートと、
前記採光シートの光入射面とは反対側の光出射面上の少なくとも一部に配置され可視光透過孔を有する多孔シートと、を有する採光具。
【請求項２】
前記多孔シートは、前記採光シートの光出射面上の複数箇所に離隔して配置される請求項１に記載の採光具。
【請求項３】
前記採光シートの光出射面上の複数箇所に離隔して配置される複数の前記多孔シートは、前記第１採光部材および前記第２採光部材の相対的な移動方向に沿って配置される請求項２に記載の採光具。
【請求項４】
前記複数の多孔シートの前記移動方向における幅と、前記移動方向において隣接配置された２つの多孔シートの隙間とは等しい請求項３に記載の採光具。
【請求項５】
前記多孔シートは、前記採光シートの光出射面に配置され、
前記多孔シートは、
第１透過率部と、
前記第１透過率部よりも可視光透過率の高い第２透過率部と、を有する請求項１に記載の採光具。
【請求項６】
前記第２透過率部は、可視光に対して透明である請求項５に記載の採光具。
【請求項７】
前記第１透過率部と前記第２透過率部とは、交互に配置されており、
前記第２透過率部は、隣接配置される２つの前記第１透過率部よりも単位面積当たりの孔の面積が大きい請求項５に記載の採光具。
【請求項８】
前記第１透過率部は、前記採光シートの光出射面上の複数箇所に離隔して配置され、
これら複数の第１透過率部は、前記第１採光部材および前記第２採光部材の相対的な移動方向に沿って配置される請求項５乃至７のいずれかに記載の採光具。
【請求項９】
前記第１透過率部の前記移動方向における幅と、前記移動方向において隣接配置された２つの第１透過率部の間に配置された前記第２透過率部の前記移動方向における幅とは等しい請求項８に記載の採光具。
【請求項１０】
光の入射方向に沿って重ねて配置され、前記入射方向に交差する一方向に相対的に移動自在な第１採光部材および第２採光部材を備え、
前記第１採光部材および前記第２採光部材の少なくとも一方は、
可視光透過孔を有する多孔シートと、
前記多孔シートの光入射面の一部に配置され、入射された光を偏向させて前記多孔シートに入射させる採光シートと、を有する採光具。
【請求項１１】
前記採光シートは、前記多孔シートの光入射面上の複数箇所に離隔して配置される請求項１０に記載の採光具。
【請求項１２】
前記多孔シートの光入射面上の複数箇所に離隔して配置される複数の前記採光シートは、前記第１採光部材および前記第２採光部材の相対的な移動方向に沿って配置される請求項１１に記載の採光具。
【請求項１３】
前記複数の採光シートの前記移動方向における幅と、前記移動方向において隣接配置された２つの採光シートの隙間とは等しい請求項１２に記載の採光具。
【請求項１４】
前記第１採光部材および第２採光部材が相対的に移動する方向は、前記第１採光部材および前記第２採光部材が天地方向に配置される場合には、前記天地方向または水平方向である請求項１乃至１３のいずれかに記載の採光具。
【請求項１５】
前記第１採光部材および前記第２採光部材は、共通の中心軸を有する円形部材であり、
前記第１採光部材および前記第２採光部材の少なくとも一方は、前記中心軸の周りに周方向に移動自在である請求項１乃至１４のいずれかに採光具。
【請求項１６】
前記光偏向部は、前記光入射面に沿って離隔して配置される複数の溝を有するベース部と、前記ベース部とは異なる屈折率を持ち前記複数の溝内に配置される複数のルーバー部と、を有する請求項１乃至１５のいずれかに記載の採光具。
【請求項１７】
前記多孔シートは、繊維シートを含む請求項１乃至１６のいずれかに記載の採光具。
【請求項１８】
前記繊維シートは、織布、不織布、編み物、レース、またはフェルトである請求項１乃至１７のいずれかに記載の採光具。
【請求項１９】
前記多孔シートは、貫通孔を有する樹脂シートを含む請求項１乃至１８のいずれかに記載の採光具。
【請求項２０】
請求項１乃至１９のいずれかに記載の採光具を備えたロールスクリーンであって、
前記第１採光部材および前記第２採光部材は、ロール部材を介して繋がっているロールスクリーン。
【請求項２１】
請求項１乃至２０のいずれかに記載の採光具に積層される透明基材を備えた窓。
【発明の詳細な説明】
【技術分野】
【０００１】
本発明は、採光機能を有する採光具、ロールスクリーンおよび窓に関する。
【背景技術】
【０００２】
採光機能を持たせたロールアップスクリーン（以下、ロールスクリーンと呼ぶ）が知られている（特許文献１および２参照）。特許文献１および２に記載のロールスクリーンは、光透過部と光拡散部を有する光拡散層を備えており、光透過部と光拡散部との界面で光を反射させて、入射光を室内の上方に跳ね上げるようにしている。
【先行技術文献】
【特許文献】
【０００３】
【特許文献１】特開２０１３−１５５５６９号公報
【特許文献２】特開２０１３−１５７２７３号公報
【発明の概要】
【発明が解決しようとする課題】
【０００４】
採光機能を持たせた従来のロールスクリーンは、樹脂で形成されることが多いが、室内のインテリア・デザインの観点からは、樹脂以外の部材（例えば、布など）で形成した方が望ましい場合もありうる。
【０００５】
ある特定の角度範囲で入射された光については、斜め上方に跳ね上げることができるが、この角度範囲外の入射光については、ロールスクリーンを透過して眩しさを感じさせる要因になりうる。
【０００６】
また、従来の採光機能付きのロールスクリーンは、ロールスクリーン自体が光の透過性を有するため、ロールスクリーンの内側の様子が、ぼんやりとはいえ、外側から視認されることになり、場合によってはプライバシ性を損なうおそれもある。
【０００７】
本発明は、上述した課題に鑑みてなされたものであり、その目的は、必要に応じて採光性能と眺望性を可変調整でき、かつプライバシ性にも配慮した採光具、ロールスクリーンおよび窓を提供することにある。
【課題を解決するための手段】
【０００８】
本発明の一態様では、光の入射方向に沿って重ねて配置され、前記入射方向に交差する一方向に相対的に移動自在な第１採光部材および第２採光部材を備え、
前記第１採光部材および前記第２採光部材の少なくとも一方は、
光入射面に入射された光を偏向させる光偏向部を有する採光シートと、
前記採光シートの光入射面とは反対側の光出射面上の少なくとも一部に配置され可視光透過孔を有する多孔シートと、を有する採光具が提供される。
【０００９】
前記多孔シートは、前記採光シートの光出射面上の複数箇所に離隔して配置されてもよい。
【００１０】
前記採光シートの光出射面上の複数箇所に離隔して配置される複数の前記多孔シートは、前記第１採光部材および前記第２採光部材の相対的な移動方向に沿って配置されてもよい。
【００１１】
前記複数の多孔シートの前記移動方向における幅と、前記移動方向において隣接配置された２つの多孔シートの隙間とは等しくてもよい。
【００１２】
前記多孔シートは、前記採光シートの光出射面に配置されてもよく、
前記多孔シートは、
第１透過率部と、
前記第１透過率部よりも可視光透過率の高い第２透過率部と、を有していてもよい。
【００１３】
前記第２透過率部は、可視光に対して透明であってもよい。
【００１４】
前記第１透過率部と前記第２透過率部とは、交互に配置されていてもよく、
前記第２透過率部は、隣接配置される２つの前記第１透過率部多孔よりも単位面積当たりの孔の面積が大きい領域であってもよい。
【００１５】
前記第１透過率部は、前記採光シートの光出射面上の複数箇所に離隔して配置されてもよく、
これら複数の第１透過率部は、前記第１採光部材および前記第２採光部材の相対的な移動方向に沿って配置されてもよい。
【００１６】
前記第１透過率部の前記移動方向における幅と、前記移動方向において隣接配置された２つの第１透過率部の間に配置された前記第２透過率部の前記移動方向における幅とは等しくてもよい。
【００１７】
本発明の他の一態様では、光の入射方向に沿って重ねて配置され、前記入射方向に交差する一方向に相対的に移動自在な第１採光部材および第２採光部材を備え、
前記第１採光部材および前記第２採光部材の少なくとも一方は、
可視光透過孔を有する多孔シートと、
前記多孔シートの光入射面の一部に配置され、入射された光を偏向させて前記多孔シートに入射させる採光シートと、を有する採光具が提供される。
【００１８】
前記採光シートは、前記多孔シートの光入射面上の複数箇所に離隔して配置されてもよい。
【００１９】
前記多孔シートの光入射面上の複数箇所に離隔して配置される複数の前記採光シートは、前記第１採光部材および前記第２採光部材の相対的な移動方向に沿って配置されてもよい。
【００２０】
前記複数の採光シートの前記移動方向における幅と、前記移動方向において隣接配置された２つの採光シートの隙間とは等しくてもよい。
【００２１】
前記第１採光部材および第２採光部材が相対的に移動する方向は、前記第１採光部材および前記第２採光部材が天地方向に配置される場合には、前記天地方向または水平方向であってもよい。
【００２２】
前記第１採光部材および前記第２採光部材は、共通の中心軸を有する円形部材であってもよく、
前記第１採光部材および前記第２採光部材の少なくとも一方は、前記中心軸の周りに周方向に移動自在であってもよい。
【００２３】
前記光偏向部は、前記光入射面に沿って離隔して配置される複数の溝を有するベース部と、前記ベース部とは異なる屈折率を持ち前記複数の溝内に配置される複数のルーバー部と、を有していてもよい。
【００２４】
前記多孔シートは、繊維シートを含んでいてもよい。
【００２５】
前記繊維シートは、織布、不織布、編み物、レース、またはフェルトであってもよい。
【００２６】
前記多孔シートは、貫通孔を有する樹脂シートを含んでいてもよい。
【００２７】
上述した採光具を備えたロールスクリーンであって、
前記第１採光部材および前記第２採光部材は、ロール部材を介して繋がっているロールスクリーンが提供されてもよい。
【００２８】
上述した採光具に積層される透明基材を備えた窓が提供されてもよい。
【発明の効果】
【００２９】
本発明によれば、必要に応じて採光性能と眺望性を可変調整でき、かつプライバシ性も担保できる。
【図面の簡単な説明】
【００３０】
【図１】本発明の第１の実施形態による採光具１の斜視図。
【図２】（ａ）と（ｂ）は図１の天地方向における部分断面図。
【図３】採光シートの断面図。
【図４】第２の実施形態による採光具１の部分的な斜視図。
【図５】（ａ）と（ｂ）は第３の実施形態による採光具１の天地方向における部分断面図。
【図６】第１採光部材２と第２採光部材３を水平方向に相対移動させる例を示す図。
【図７】第１採光部材２と第２採光部材３がともに共通の中心軸周りに回動自在な円形である例を示す図。
【発明を実施するための形態】
【００３１】
以下、図面を参照して本発明の実施の形態について説明する。なお、本件明細書に添付する図面においては、図示と理解のしやすさの便宜上、適宜縮尺および縦横の寸法比等を、実物から変更し誇張してある。
【００３２】
なお、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００３３】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００３４】
さらに、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、後述する第１採光部材と第２採光部材はいずれも平行であるか、若干傾斜して配置される場合もあるが、本明細書では各層を総称してシート面と呼ぶこともある。また、本明細書において、シート状（フィルム状、板状、パネル状）の部材に対して用いる「法線方向」とは、当該部材のシート面への法線方向のことを指す。
【００３５】
（第１の実施形態）
図１は本発明の第１の実施形態による採光具１の斜視図、図２は図１の天地方向における部分断面図である。図１の採光具１は、例えば窓の内側に配置されるロールスクリーン１である。より詳細には、スクリーンが二重になった二重ロールスクリーン１に適用可能であるが、これに限定されるものではない。
【００３６】
本実施形態による採光具１は、光の入射方向に交差する方向に沿って相対的に移動自在な第１採光部材２および第２採光部材３を備えている。第１採光部材２と第２採光部材３は、光の入射方向に沿って重ねて配置される。第１採光部材２と第２採光部材３は、例えば天地方向に配置される。また、光の入射方向に交差する方向とは、図１の例では天地方向であるが、後述するように、天地方向に限定されるものではない。
【００３７】
本実施形態による採光具１を二重ロールスクリーン１に適用する場合は、第１採光部材２と第２採光部材３のそれぞれがスクリーンとなる。この場合、第１採光部材２と第２採光部材３は、図１の下端のロール部材１０を介して、端部同士が繋がっている。
【００３８】
図１の二重ロールスクリーン１は、例えば窓の内側に面して配置される。この場合、第１採光部材２と第２採光部材３は、天地方向に相対的に移動自在とされている。第１採光部材２と第２採光部材３を移動する際には、図１のＵの字型のチェーン４の一方を地面方向に引っ張る。これにより、例えば第１採光部材２が天方向に上がって、第２採光部材３が地面方向に下がり、他方のチェーン４を地面方向に引っ張ると、第１採光部材２が地面方向に下がって、第２採光部材３が天方向に上がる。このように、第１採光部材２と第２採光部材３は、天地方向に互いに逆の動きをする。
【００３９】
第１採光部材２と第２採光部材３の少なくとも一方は、採光シート５と、採光シート５上の少なくとも一部に配置される多孔シート６とを有する。採光シート５は、後述するように、その光入射面に入射された光を偏向させる光偏向部（光偏向層）を有する。多孔シート６は、採光シート５の光入射面とは反対側の光出射面上の少なくとも一部に配置されるものであり、多孔シート６には可視光透過孔が設けられている。よって、採光シート５を通過して多孔シート６に入射された光の少なくとも一部は、多孔シート６を通過して採光に利用可能となる。また、多孔シート６の可視光透過孔を通して、第２採光部材３の光出射面側から第１採光部材２の光入射面側、すなわち部屋の内側から外側を視認可能となる。なお、可視光とは、波長範囲が３８０ｎｍから７８０ｎｍの光である。
【００４０】
採光シート５は、第１採光部材２と第２採光部材３の双方に設けられるが、多孔シート６は、第１採光部材２と第２採光部材３の一方だけに設けてもよい。ただし、採光量を調整するという観点からは、図１に示すように第１採光部材２と第２採光部材３の双方に多孔シート６を設けるのが望ましい。第１採光部材２と第２採光部材３のいずれか一方のみに多孔シート６を設ける場合には、天地方向における多孔シート６の位置を任意に調整できるだけになり、採光性能と眺望性を十分に可変調整することはできない。
【００４１】
そこで、以下では、第１採光部材２と第２採光部材３の双方が、採光シート５上の一部に配置された複数の多孔シート６を有する例を説明する。
【００４２】
多孔シート６は、採光シート５の光出射面上の複数箇所に離隔して配置されている。例えば、図２の例では、採光シート５の天地方向に沿って、一定間隔で、複数の多孔シート６が配置されている。より詳細には、採光シート５の天地方向において隣接する２枚の多孔シート６の隙間５ａ、すなわち、一方の多孔シート６の端から、その端に近接する他方の多孔シート６の端までの距離を一定としている。また、個々の多孔シート６の天地方向における幅６ａは、上述した隙間と同一にしている。
【００４３】
個々の多孔シート６は、採光シート５の水平方向に延在されている。図１および図２では、各多孔シート６の長手方向の長さを共通としており、いずれの多孔シート６も、採光シート５の水平方向長さとほぼ等しい長さを有する。
【００４４】
隣接する２枚の多孔シート６の間では、採光シート５の光出射面が露出している。よって、採光シート５から出射された光のうち、隣接する２枚の多孔シート６の間を通過した光は、多孔シート６で遮られることなく、主に斜め上方に進行し、採光に利用される。
【００４５】
また、多孔シート６は、可視光透過孔を有するため、採光シート５と多孔シート６が重なり合った領域でも、ある程度の採光効果は見込めるようにしている。
【００４６】
多孔シート６は、採光シート５の光出射面上に、例えば接着材を介して接合される。多孔シート６の接合面に予め接着材を塗布して採光シート５の光出射面に接合してもよいし、採光シート５の光出射面に予め接着材を塗布して、採光シート５を接合してもよい。
【００４７】
図１の例では、多孔シート６を天地方向に一定間隔で配置しており、別の言い方をすると、採光シート５の光出射面が露出される領域が一定間隔で存在する。よって、光入射面の全体にわたって、一定の採光量が見込める。
【００４８】
多孔シート６は、規則的または不規則に多数の孔が設けられたシート状基材であり、シート状基材の材料は特に問わない。多孔シート６は、意匠性を考慮に入れると繊維シートが望ましいが、水回りでの使用を考慮に入れると、貫通孔を有する樹脂シートが望ましい。また、通気性や可視光透過性を考慮に入れると、繊維シートと樹脂シートのどちらでもよい。さらに、繊維シートと樹脂シートとを積層した構造や、シート面上に並べた構造にしてもよい。多孔シート６が繊維シートを含む場合、絹糸、綿糸、毛糸、化学繊維などの各種繊維を織った織布でもよいし、各種繊維を織らずに絡み合わせた不織布でもよいし、各種繊維を編んだ編み物でもよいし、各種繊維を用いたレースでもよいし、各種繊維を薄く板状に圧縮したフェルトでもよい。ただし、本実施形態の多孔シート６は、可視光を透過するための可視光透過孔を有するものである。
【００４９】
採光シート５の光入射面側は窓に面し、光出射面側は観察者の目に触れやすい。よって、採光シート５の光出射面に多孔シート６を配置することで、採光シート５にデザイン的な特徴を持たせることができる。多孔シート６は、質感や肌触りを任意に調整でき、また色も種々変更できるため、採光具１の設置場所に合わせたデザインの多孔シート６を採光シート５に貼り合わせることで、意匠性に優れた採光具１を提供できる。
【００５０】
図１の例では、第１採光部材２および第２採光部材３の移動方向における多孔シート６の幅６ａと、移動方向において隣接配置された２つの多孔シート６同士の隙間５ａとを等しくしている。よって、図２（ａ）に示すように、第１採光部材２の隙間と第２採光部材３の多孔シート６とが水平方向に重なるように配置すると、第１採光部材２の光出射面から出射された光の大部分が第２採光部材３の多孔シート６に入射されることになり、第２採光部材３から出射される光の割合を大幅に減らすことができる。また、第２採光部材３の光出射面側から第１採光部材２の光入射面側を眺めたときに、採光具１のほとんど全面が多孔シート６で覆われた状態になることから、視認性すなわち眺望性が低下する。ただし、多孔シート６には、可視光透過孔があるため、この孔を通して、ある程度の眺望性は確保できる。同様に、第１採光部材２の光入射面側から第２採光部材３の光出射面側を眺めた場合も、多孔シート６があるために、第２採光部材３の光出射面側をほとんど視認できなくなり、プライバシ性を確保できる。
【００５１】
逆に、図２（ｂ）に示すように、第１採光部材２と第２採光部材３の多孔シート６同士が水平方向に重なるように配置すると、第１採光部材２の多孔シート６の隙間から出射された光の大部分が第２採光部材３の多孔シート６の隙間を通過するようになり、採光性能を向上できる。また、図２（ｂ）の場合、第２採光部材３の光出射面側から第１採光部材２の光入射面側を眺めたときに、多孔シート６で覆われない領域が周期的に現れるため、図２（ａ）よりも視認性すなわち眺望性がよくなる。ただし、第１採光部材２と第２採光部材３の全面が採光シート５で覆われているため、採光具１の内側から外側の様子をクリアに視認することは困難である。同様に、採光具１の外側から内側を覗いた場合も、多孔シート６で覆われていない領域が周期的に現れるとしても、採光シート５で覆われているために、ある程度のプライバシ性は確保できる。
【００５２】
このように、第１採光部材２の多孔シート６と第２採光部材３の多孔シート６との重なり具合を、第１採光部材２と第２採光部材３の相対移動により任意に可変できるため、採光性能、眺望性およびプライバシ性を細かく調整できる。
【００５３】
なお、図１および図２では、多孔シート６が矩形状である例を示したが、多孔シート６の具体的な形状は問わない。本実施形態では、第１採光部材２および第２採光部材３の一方の多孔シート６と他方の隙間との重なり具合で、採光性能を調整するため、多孔シート６が任意の形状であっても、採光性能、眺望性およびプライバシ性の調整は可能となる。
【００５４】
（採光シート５の構造）
本実施形態による採光シート５は、図３に示すように、基材層１１の上に配置される光制御層１２と、光制御層１２の上に配置される接着層１３と、基材層１１の下に配置される保護フィルム１４とを有する。採光シート５は接着層１３を介して、例えば窓２０に貼り付けられる。
【００５５】
図３の光制御層１２は、光入射面１２ａに沿って離隔して配置される複数の溝１５を有するベース部１６と、ベース部１６とは異なる屈折率を持ち複数の溝１５内に配置される複数のルーバー部１７とを有する。ルーバー部１７の内部は空洞でもよいし、ベース部１６とは異なる屈折率の充填材料を充填してもよい。
【００５６】
ルーバー部１７は、光入射面１２ａに交差する方向に伸びる第１面１７ａおよび第２面１７ｂを有する。ルーバー部１７は、少なくともベース部１６との界面のうち第１面１７ａにおいて、ベース部１６とルーバー部１７との屈折率差に基いて光の進行方向を変化させる。図３では、図示されたすべてのルーバー部１７が形状の異なる第１面１７ａおよび第２面１７ｂを有する非対称構造の例を示しているが、第１面１７ａと第２面１７ｂの形状が等しい対称構造であってもよい。
【００５７】
なお、採光具１を構成する採光シート５の断面構造は、必ずしも図３のようなベース部１６とルーバー部１７で構成されている必要はなく、例えば、光入射面１２ａに沿って複数の光学プリズム体を配置して、これら光学プリズム体にて屈折または反射させて入射光を斜め上方に跳ね上げてもよい。
【００５８】
（採光シート５の製法）
次に、本実施形態に係る採光シート５の構成材料および製造工程について説明する。ベース部１６の材料としては、例えば、光硬化性プレポリマーと、反応性希釈モノマーと、金型離型剤と、光重合開始剤とを混合して均一化したものが用いられる。ベース部１６の材料は、紫外線硬化性樹脂を用いる代わりに、熱硬化性樹脂または電子線硬化性樹脂などの硬化性樹脂を用いてもよい。
【００５９】
ベース部１６に、図３に示すような溝１５を形成するには、例えば金型ロールが用いられる。金型ロールの表面は、溝１５の形状に合わせてバイトにより切削されて、各溝１５の形状に対応する複数の凸部が形成される。
【００６０】
凸部が形成された金型ロールとニップロールの間にベース部１６の組成物を充填して両ロールにて加圧し、例えば高圧水銀灯により紫外線を照射してベース部１６の組成物を硬化させて、ベース部１６が形成される。その後、剥離ローラにより、金型ローラからベース部１６を離型し、ベース部１６を含む中間部材を作製する。
【００６１】
基材層１１の材料としては、例えばポリエチレンテレフタレート（ＰＥＴ）又はポリカーボネート（ＰＣ）等の透明のフィルムが用いられる。基材層１１の厚みは５〜２００μｍ、好ましくは１０〜１５０μｍ、より好ましくは５０〜１００μｍである。基材層１１の厚みが５μｍより薄いと、生産時にしわがよったりして生産性が悪く、逆に、基材層１１の厚みが２００μｍよりも厚いとコストが高くなり、例えばベース部１６を硬化させるときに基材層１１越しに電離放射線を照射した場合に電離放射線のロスを生じるといった不具合が発生するおそれがある。
【００６２】
ベース部１６の溝１５に充填される充填物として、例えば、光硬化性プレポリマー等の紫外線硬化性樹脂と、反応性希釈モノマーと、光重合開始剤とを混合して均一化したものが用いられる。紫外線硬化性樹脂の代わりに、熱硬化性樹脂や電子線硬化性樹脂を用いてもよく、光散乱材を混合しても良い。
【００６３】
上述したように、本実施形態では、ベース部１６とルーバー部１７とで屈折率に違いを持たせている。ルーバー部１７に充填材料を充填する場合、ベース部１６もルーバー部１７も、熱硬化性樹脂、紫外線硬化性樹脂および電子線硬化性樹脂などの硬化性樹脂を材料として形成されるが、硬化性樹脂の材料や、それに含有される添加剤の種類等を変えることで、ベース部１６とルーバー部１７に屈折率差を持たせることができる。
【００６４】
接着層１３の組成物は、例えば、熱可塑性樹脂であるポリビニルアセタール樹脂、エチレン酢酸ビニル共重合体樹脂、エチレンアクリル共重合体樹脂、ポリウレタン樹脂及びポリビニルアルコール樹脂等から一種若しくは複数を、可塑剤、酸化防止剤及び紫外線遮蔽剤といった添加剤と共に混合し用いたり、アクリル系樹脂の粘着材と、架橋剤と、希釈剤とを混合して形成されたりする。この接着層１３の組成物を、シート若しくはフィルム状にして採光シート５と透明基材との間に配置し、圧をかけて空気を押し出した後、加熱することで採光シート５と一体化させたり、液状であれば離型フィルムに塗布して乾燥させた後、採光シート５に貼付させたりする。なお、上記では、ルーバー部１７にベース部１６とは異なる屈折率の充填材料を充填する例について説明したが、これに限らず、ルーバー部１７の内部は空洞として形成してベース部１６とルーバー部１７とで屈折率に違いを持たせてもよい。
【００６５】
このように、第１の実施形態では、相対的に移動自在な第１採光部材２と第２採光部材３の少なくとも一方に採光シート５と多孔シート６を設けるため、第１採光部材２と第２採光部材３の相対移動により、採光性能、眺望性およびプライバシ性を可変調整することができる。特に、第１採光部材２と第２採光部材３の双方に採光シート５と多孔シート６を設ければ、第１採光部材２と第２採光部材３の相対移動により、多孔シート６同士の重なり具合を可変でき、採光性能、眺望性およびプライバシを細かく調整できる。
【００６６】
（第２の実施形態）
上述した第１の実施形態では、採光シート５の光出射面上で、多孔シート６が配置されていない領域は、採光シート５の光出射面が露出している。このため、多孔シート６が配置されていない領域では、採光シート５の採光性能を最大限に生かすことができる。その一方で、第１の実施形態では、複数の多孔シート６を個別に採光シート５上に接合しなければならず、作業性が悪いという問題がある。以下に説明する第２の実施形態は、この問題を解決するものである。
【００６７】
図４は第２の実施形態による採光具１の部分的な斜視図である。図４の採光具１内の多孔シート６は、互いに可視光透過率が異なる第１透過率部６ａと第２透過率部６ｂを有する。第２透過率部６ｂは、第１透過率部６ａよりも可視光透過率を高くしている。第１透過率部６ａは、織布、不織布、編み物、レース、フェルトまたは樹脂素材で形成されている。第２透過率部６ｂは、例えば可視光に対して透明な領域でもよいし、第１透過率部６ａと同様の材料で形成され、単位面積当たりの孔の総面積を第１透過率部６ａよりも少なくしてもよい。第２透過率部６ｂの可視光透過率が高いほど、採光性能は向上する。その一方で、テカり感やぎらつきが目立つため、意匠性の観点からは、第２透過率部６ｂの可視光透過率は高くない方が望ましい。採光性能と意匠性のバランスにて第２透過率部６ｂの可視光透過率を決定するのが望ましい。
【００６８】
多孔シート６内の第１透過率部６ａと第２透過率部６ｂは、図４のように矩形状でもよいし、その他の任意の形状でもよい。
【００６９】
このように、第２の実施形態では、採光シート５の光出射面の全体に多孔シート６を貼り付けるため、第１の実施形態よりも、採光具１の製造が容易になる。また、多孔シート６内に、可視光透過率が互いに異なる第１透過率部６ａと第２透過率部６ｂを設けるため、第１の実施形態では単に開口部であった第２透過率部６ｂにも意匠性を付加させることができる。
【００７０】
なお、第１採光部材２と第２採光部材３のいずれか一方については図４の多孔シート６を採光シート５に貼り付け、他方については図１と同様に複数の多孔シート６を別個に採光シート５に貼り付けてもよい。
【００７１】
（第３の実施形態）
上述した第１の実施形態では、採光シート５の光出射面の一部に多孔シート６を配置する例を示したが、逆に、多孔シート６の光入射面の一部に採光シート５を配置してもよい。
【００７２】
図５は第３の実施形態による採光具１の天地方向における部分断面図である。図５の採光具１は、第１および第２の実施形態と同様に、天地方向に相対移動自在な第１採光部材２と第２採光部材３を備えている。
【００７３】
第１採光部材２と第２採光部材３の少なくとも一方は、多孔シート６と、多孔シート６の光入射面の一部に配置される採光シート５とを有する。多孔シート６の材料は、第１の実施形態と同様であるが、第１採光部材２と第２採光部材３の少なくとも一方の全面に多孔シート６が設けられることから、採光性能を低下させないように、多孔シート６の可視光透過率はできるだけ高くするのが望ましい。
【００７４】
採光シート５は、第１採光部材２と第２採光部材３のいずれか一方だけに設けてもよいが、入射光を上方に跳ね上げる効果を高めるには、第１採光部材２と第２採光部材３の双方に採光シート５を設けるのが望ましい。
【００７５】
以下では、第１採光部材２と第２採光部材３の構造を同じとし、両採光部材ともに、同じサイズの採光シート５を設ける例を説明する。天地方向における採光シート５の幅５ａは、天地方向に隣接配置された２つの採光シート５の隙間６ａと同じであるとする。
【００７６】
図５（ａ）は、第１採光部材２における採光シート５間の隙間６ａと、第２採光部材３における採光シート５とが水平方向に重なるように配置する例を示している。この場合、第１採光部材２の採光シート５で斜め上方に跳ね上げられた光の一部は、第２採光部材３の採光シート５に入射され、採光性能の向上に役立てられる。また、多孔シート６の可視光透過率は高くしてあるため、第１採光部材２を通過して第２採光部材３の多孔シート６に入射された光も、ある程度は採光に役立てることができる。
【００７７】
その一方で、第１採光部材２と第２採光部材３のいずれか一方の隙間には、他方の採光シート５が配置されているため、室内から両採光部材を介して外側を眺めたときの視認性はあまりよくない。また、採光シート５があるために、ある程度のプライバシ性は確保できる。
【００７８】
図５（ｂ）は、第１採光部材２の採光シート５と第２採光部材３の採光シート５とが水平方向に重なるように配置する例を示している。図５（ｂ）の採光性能に関しては、図５（ａ）と大して変わらないが、室内から両採光部材を介して外側を眺めた場合、第１採光部材２と第２採光部材３の両方の多孔シート６を通して外側を見ることになり、採光シート５を通して外側を見るよりも視認性すなわち眺望性はよくなる。よって、外側を見る場合は、図５（ｂ）のように、第１採光部材２と第２採光部材３を配置すればよい。ただし、プライバシ性は低下する。
【００７９】
このように、第３の実施形態では、多孔シート６の光入射面の一部に採光シート５をそれぞれ配置した第１採光部材２と第２採光部材３を相対的に移動させるため、第１の実施形態と同様に、採光性能、眺望性およびプライバシ性を必要に応じて可変調整できる。なお、第１の実施形態では、第１採光部材２と第２採光部材３の全面が採光シート５で覆われていたため、多孔シート６がない箇所でも、クリアに第１採光部材２の光入射面側を視認することはできなかったが、本実施形態では、採光シート５が配置されていない領域があるため、少なくともこの領域では、第１の実施形態よりも、視認性すなわち眺望性がよくなる。
【００８０】
（第４の実施形態）
上述した第１〜第３の実施形態では、天地方向に配置される矩形状の第１採光部材２と第２採光部材３を、天地方向に相対的に移動させて採光性能と眺望性を可変調整する例を示したが、第１採光部材２と第２採光部材３を相対的に移動させる方向は、必ずしも天地方向でなくてもよい。
【００８１】
例えば、図６は第１採光部材２と第２採光部材３を水平方向に相対移動させる例を示している。図６の場合、部分的に設けられる多孔シート６または採光シート５は、天地方向に平行に配置されている。第１採光部材２と第２採光部材３を水平方向に相対移動させることで、多孔シート６同士の重なり具合により形成される天地方向に伸びる光を通す隙間が可変され、採光性能と眺望性を可変調整できる。
【００８２】
図６のように、採光具１が矩形の第１採光部材２と第２採光部材３を備えている場合、第１採光部材２と第２採光部材３のそれぞれは例えば横開きの窓や引き戸であってもよい。窓や引き戸を横（水平）方向に移動させることで、採光性能と眺望性を可変調整することができる。
【００８３】
また、第１採光部材２と第２採光部材３の外形形状は、必ずしも矩形には限定されない。例えば、図７は第１採光部材２と第２採光部材３がともに、共通の中心軸周りに回動自在な円形である例を示している。図７の第１採光部材２と第２採光部材３は、径サイズが同じであり、中心軸周りに、周方向に相対的に移動する。また、第１採光部材２と第２採光部材３の少なくとも一方は、円形の採光シート５と、この採光シート５の光出射面上の少なくとも一部に配置され可視光透過孔を有する多孔シート６とを有する。多孔シート６は円弧状の形状である。あるいは、第３の実施形態のように、円形の多孔シート６の入射面の一部に円弧状の採光シート５を配置してもよい。
【００８４】
このように、本発明による採光具１は、第１〜第３の実施形態で具体例として説明した二重ロールスクリーン１のみに適用されるものではなく、窓、引き戸、ブラインド、扉など、採光性能、眺望性およびプライバシ性を考慮する必要のある種々の器具に適用可能である。
【００８５】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００８６】
１  ロールスクリーン、２  第１採光部材、３  第２採光部材、４  チェーン、５  採光シート、６  多孔シート、６ａ  第１透過率部、６ｂ  第２透過率部、１１  基材層、１２  光制御層、１３  接着層、１４  保護フィルム、１５  溝、１６  ベース部、１７  ルーバー部、
【図１】
2016069989.tif 000003
【図２】
2016069989.tif 000004
【図３】
2016069989.tif 000005
【図４】
2016069989.tif 000006
【図５】
2016069989.tif 000007
【図６】
2016069989.tif 000008
【図７】
2016069989.tif 000009